【手続補正書】
【提出日】平成26年10月3日(2014.10.3)
【手続補正１】
【補正対象書類名】特許請求の範囲
【補正対象項目名】全文
【補正方法】変更
【補正の内容】
【特許請求の範囲】
【請求項１】
二次電池の充放電電流を時系列的に検出して充放電した容量を積算し、積算した容量に基づいて前記二次電池の充電を終了すべき時点を特定する充電終了時点特定方法において、
前記二次電池の電圧を時系列的に検出し、
検出した電圧が所定電圧より高くない場合、充放電した容量をゼロリセットし、
前記検出した電圧が所定電圧より高い場合、前記充放電した容量に充電した容量の加算と放電した容量の減算で積算し、
積算結果が、前記二次電池が充電されたことを示す場合、積算した容量の絶対値が所定容量より大きいか否かを判定し、
大きいと判定した時点を、充電を終了すべき時点として特定すること
を特徴とする充電終了時点特定方法。
【請求項２】
二次電池の電圧及び充放電電流を時系列的に検出し、検出した電圧が所定電圧より高く、且つ検出した充電電流が所定時間以上所定電流より小さいと判定した時点を第１時点として特定し、検出した充放電電流に基づいて充放電した容量を積算し、積算した容量に基づいて前記第１時点と異なる第２時点を特定し、前記第１及び第２時点を前記二次電池の充電を終了すべき時点とする充電終了時点特定方法において、
検出した電圧が前記第１時点の特定に係る電圧より高くない場合、充放電した容量をゼロリセットし、
前記検出した電圧が前記第１時点の特定に係る電圧より高い場合、前記充放電した容量に充電した容量の加算と放電した容量の減算で積算し、
積算結果が、前記二次電池が充電されたことを示す場合、積算した容量の絶対値が所定容量より大きいか否かを判定し、
大きいと判定した時点を、前記第２時点として特定すること
を特徴とする充電終了時点特定方法。
【請求項３】
前記所定容量は、前記二次電池に充電可能な総容量として予め設定された容量に対する所定割合の容量であることを特徴とする請求項１又は２に記載の充電終了時点特定方法。
【請求項４】
前記所定割合は、４０％から６０％の範囲にあることを特徴とする請求項３に記載の充電終了時点特定方法。
【請求項５】
二次電池の充放電電流を時系列的に検出して充放電した容量を積算し、積算した容量に基づいて前記二次電池の充電を終了すべき時点を特定する充電終了時点特定装置において、
前記二次電池の電圧を時系列的に検出する手段を備え、
該手段が検出した電圧が所定電圧より高くない場合、充放電した容量をゼロリセットし、
前記検出した電圧が所定電圧より高い場合、前記充放電した容量に充電した容量の加算と放電した容量の減算で積算するようにしてあり、
積算結果が、前記二次電池が充電されたことを示す場合、積算した容量の絶対値が所定容量より大きいか否かを判定する手段を備えること
を特徴とする充電終了時点特定装置。
【請求項６】
二次電池の電圧及び充放電電流を時系列的に検出し、検出した電圧が所定電圧より高く、且つ検出した充電電流が所定時間以上所定電流より小さいと判定した時点を第１時点として特定し、検出した充放電電流に基づいて充放電した容量を積算し、積算した容量に基づいて前記第１時点と異なる第２時点を特定し、前記第１及び第２時点を前記二次電池の充電を終了すべき時点とする充電終了時点特定装置において、
検出した電圧が前記第１時点の特定に係る電圧より高くない場合、充放電した容量をゼロリセットし、
前記検出した電圧が前記第１時点の特定に係る電圧より高い場合、前記充放電した容量に充電した容量の加算と放電した容量の減算で積算するようにしてあり、
積算結果が、前記二次電池が充電されたことを示す場合、積算した容量の絶対値が所定容量より大きいか否かを判定する手段を備えること
を特徴とする充電終了時点特定装置。
【請求項７】
前記所定容量は、前記二次電池に充電可能な総容量として予め設定された容量に対する所定割合の容量であることを特徴とする請求項５又は６に記載の充電終了時点特定装置。
【請求項８】
前記所定割合は、４０％から６０％の範囲にあることを特徴とする請求項７に記載の充電終了時点特定装置。
【請求項９】
請求項５から８の何れか１項に記載の充電終了時点特定装置と、該充電終了時点特定装置によって充電を終了すべき時点が特定される１又は複数の二次電池とを備えることを特徴とするパック電池。
【手続補正２】
【補正対象書類名】明細書
【補正対象項目名】０００９
【補正方法】変更
【補正の内容】
【０００９】
本発明に係る充電終了時点特定方法は、二次電池の充放電電流を時系列的に検出して充放電した容量を積算し、積算した容量に基づいて前記二次電池の充電を終了すべき時点を特定する充電終了時点特定方法において、前記二次電池の電圧を時系列的に検出し、検出した電圧が所定電圧より高くない場合、充放電した容量をゼロリセットし、前記検出した電圧が所定電圧より高い場合、前記充放電した容量に充電した容量の加算と放電した容量の減算で積算し、積算結果が、前記二次電池が充電されたことを示す場合、積算した容量の絶対値が所定容量より大きいか否かを判定し、大きいと判定した時点を、充電を終了すべき時点として特定することを特徴とする。
【手続補正３】
【補正対象書類名】明細書
【補正対象項目名】００１０
【補正方法】変更
【補正の内容】
【００１０】
本発明に係る充電終了時点特定方法は、二次電池の電圧及び充放電電流を時系列的に検出し、検出した電圧が所定電圧より高く、且つ検出した充電電流が所定時間以上所定電流より小さいと判定した時点を第１時点として特定し、検出した充放電電流に基づいて充放電した容量を積算し、積算した容量に基づいて前記第１時点と異なる第２時点を特定し、前記第１及び第２時点を前記二次電池の充電を終了すべき時点とする充電終了時点特定方法において、検出した電圧が前記第１時点の特定に係る電圧より高くない場合、充放電した容量をゼロリセットし、前記検出した電圧が前記第１時点の特定に係る電圧より高い場合、前記充放電した容量に充電した容量の加算と放電した容量の減算で積算し、積算結果が、前記二次電池が充電されたことを示す場合、積算した容量の絶対値が所定容量より大きいか否かを判定し、大きいと判定した時点を、前記第２時点として特定することを特徴とする。
【手続補正４】
【補正対象書類名】明細書
【補正対象項目名】００１３
【補正方法】変更
【補正の内容】
【００１３】
本発明に係る充電終了時点特定装置は、二次電池の充放電電流を時系列的に検出して充放電した容量を積算し、積算した容量に基づいて前記二次電池の充電を終了すべき時点を特定する充電終了時点特定装置において、前記二次電池の電圧を時系列的に検出する手段を備え、該手段が検出した電圧が所定電圧より高くない場合、充放電した容量をゼロリセットし、前記検出した電圧が所定電圧より高い場合、前記充放電した容量に充電した容量の加算と放電した容量の減算で積算するようにしてあり、積算結果が、前記二次電池が充電されたことを示す場合、積算した容量の絶対値が所定容量より大きいか否かを判定する手段を備えることを特徴とする。
【手続補正５】
【補正対象書類名】明細書
【補正対象項目名】００１４
【補正方法】変更
【補正の内容】
【００１４】
本発明に係る充電終了時点特定装置は、二次電池の電圧及び充放電電流を時系列的に検出し、検出した電圧が所定電圧より高く、且つ検出した充電電流が所定時間以上所定電流より小さいと判定した時点を第１時点として特定し、検出した充放電電流に基づいて充放電した容量を積算し、積算した容量に基づいて前記第１時点と異なる第２時点を特定し、前記第１及び第２時点を前記二次電池の充電を終了すべき時点とする充電終了時点特定装置において、検出した電圧が前記第１時点の特定に係る電圧より高くない場合、充放電した容量をゼロリセットし、前記検出した電圧が前記第１時点の特定に係る電圧より高い場合、前記充放電した容量に充電した容量の加算と放電した容量の減算で積算するようにしてあり、積算結果が、前記二次電池が充電されたことを示す場合、積算した容量の絶対値が所定容量より大きいか否かを判定する手段を備えることを特徴とする。